(57)【要約】      （修正有）【課題】顔部への施療操作上の応用性を有すると共に、使用上の簡便性、機敏性及び丁寧性を有する多機能美容及び理学療法を兼ねた指袋装置を提供する。【解決手段】多機能美容及び理学療法を兼ねた指袋装置１は、指袋と、美容理学療法モジュールとを備え、指袋は、指袋正面１１１及び指袋背面１１２が設けられる指袋部１１と、指袋部に連結される掌袋部１２とを有し、指袋正面と指袋背面との間に無隔壁指収容空間１１３が形成され、掌袋部は、掌袋正面１２１及び掌袋背面１２２を含み、掌側通口１２３が形成される少なくとも１つの切欠部を有し、指袋上に設けられる美容理学療法モジュールは、指袋上に設けられる制御器と、指袋正面上に設けられる作用領域４０とを有し、制御器は、１本または複数本の導線５１１〜５１４を介して作用領域と電気接続される。【選択図】図３Ｃ
0003234816.tif 000002
【実用新案登録請求の範囲】
【請求項１】
指袋と、前記指袋上に設けられる美容理学療法モジュールとを備える多機能美容及び理学療法を兼ねた指袋装置であって、
前記指袋は、指袋正面及び指袋背面が設けられる指袋部と、掌袋正面及び掌袋背面を含む掌袋部とを有し、
前記指袋正面と前記指袋背面との間に、挿入された２本〜４本の手指を収容可能な無隔壁指収容空間が形成され、
前記掌袋正面が前記指袋正面に連結され、前記掌袋背面が前記指袋背面に連結され、前記掌袋部は、前記指袋部の前記無隔壁指収容空間と相連通する掌側通口が形成される少なくとも１つの切欠部を有し、
前記美容理学療法モジュールは、前記指袋上に設けられる制御器と、前記指袋正面上に設けられる作用領域とを有し、前記制御器は、１本または複数本の導線を介して前記作用領域と電気接続されることを特徴とする、多機能美容及び理学療法を兼ねた指袋装置。
【請求項２】
前記指袋は、前記掌袋部の下方位置に連結される腕輪部をさらに有することを特徴とする、請求項１に記載の多機能美容及び理学療法を兼ねた指袋装置。
【請求項３】
前記美容理学療法モジュールは、低周波出力装置と、イオン導入出力装置と、発光モジュールと、発熱モジュールとを有し、前記低周波出力装置、前記イオン導入出力装置、前記発光モジュールを一緒に併合すると、少なくとも１つの出力電極部及び少なくとも１つのフィードバック電極部を含み、前記指袋正面上に設けられる当該出力電極部は、少なくとも１組の離隔された第１電極と、第２電極とを含み、当該フィードバック電極部が前記指袋の内側に設けられて人体と持続的に接触するように保持され、前記発光モジュール及び前記発熱モジュールが前記指袋正面上に設けられ、前記発光モジュールは、発光部材を有し、赤色光及び／または赤色光以外の光を発光させる選択的な応用が可能であり、前記発熱モジュールは、発熱部材を有することを特徴とする、請求項２に記載の多機能美容及び理学療法を兼ねた指袋装置。
【請求項４】
前記指袋上に設けられる前記制御器を有するフィードバック制御装置をさらに備え、当該出力電極部及び当該フィードバック電極部に電気伝導接続される前記制御器には、制御ユニットが内設され、前記制御ユニットには、さらに当該フィードバック電極部を利用して形成された検出判断作動モジュールが設けられ、前記検出判断作動モジュールには、当該フィードバック電極部と前記第１電極との間の電気通路で検出を行わせ、電気的動作導通を起動する動作状態、またはオフライン動作と自動判断して断電する動作状態への自動判断を持たせることを特徴とする、請求項３に記載の多機能美容及び理学療法を兼ねた指袋装置。
【請求項５】
前記作用領域には、前記第１電極、前記第２電極、前記発光モジュール及び前記発熱モジュールが設置され、前記第１電極と前記第２電極とは、それぞれ前記作用領域の上方部位と下方部位とに設けられ、前記発光モジュールは、前記作用領域の前記第１電極と前記第２電極との間に設けられ、前記発熱モジュールは、前記発光モジュールの外囲部位に設けられ、前記制御器は、第１電気導線と第２電気導線とを介してそれぞれ前記第１電極と前記第２電極とに連結され、当該出力電極部、前記第１電気導線、前記第２電気導線は、導電材料を介して一体的に結合されるか、または印刷方式、塗布方式によって前記指袋装置上に設けられることを特徴とする、請求項４に記載の多機能美容及び理学療法を兼ねた指袋装置。
【請求項６】
前記掌袋部は、２つの掌側通口がそれぞれ形成される２つの切欠部を有し、前記２つの掌側通口は、それぞれ前記掌袋部の両側に設けられる第１掌側通口と第２掌側通口とされ、前記指袋は、シリコーンゴムタイプまたはラテックスタイプの手袋であり、前記第１掌側通口は、密閉型通口を呈し、前記第２掌側通口は、開放状態を呈し、前記指袋装置を半開口式の手袋として構成させることを特徴とする、請求項４に記載の多機能美容及び理学療法を兼ねた指袋装置。
【請求項７】
前記腕輪部は、囲続された腕輪バンド体を含んで腕輪正面及び腕輪背面を有するように呈し、前記腕輪正面から位置決めバンドが延出され、前記位置決めバンドの背面に第１連結部材が設けられ、前記腕輪背面に位置決め部材が設けられ、前記位置決め部材に前記第１連結部材に相対する第２連結部材が設けられ、前記第１連結部材と前記第２連結部材とは、面ファスナー、位置決めスナップボタンを選択的に使用することを特徴とする、請求項６に記載の多機能美容及び理学療法を兼ねた指袋装置。
【請求項８】
前記第１電極と前記第２電極とは、正負の電極群または同極性の電極群に形成され、前記指袋装置に、交流型出力のＥＭＳ電気刺激器または直流型出力のイオン導入器の選択的使用を持たせることを特徴とする、請求項５に記載の多機能美容及び理学療法を兼ねた指袋装置。
【請求項９】
前記制御器は、さらに開閉及び各種のモード選択を行うためのモード制御ボタンと、第１電流流量ボタンと、複数の表示灯とを含み、前記制御器には、各種類の状況の音声を発生して警告するための警報ブザーが設けられ、前記制御器は、リモコン機器を有するリモートコントローラと無線で連結され、前記リモコン機器には、少なくとも制御ボタンと、第２電流流量ボタンとが設けられることを特徴とする、請求項５に記載の多機能美容及び理学療法を兼ねた指袋装置。
【請求項１０】
前記制御ユニットは、ＥＭＳ昇圧回路を介して前記第１電極と前記第２電極とに電気的に伝導接続されることを特徴とする、請求項８に記載の多機能美容及び理学療法を兼ねた指袋装置。
【請求項１１】
前記制御ユニットには、さらに記憶モジュールが設けられ、前記記憶モジュールは、現時点または以前の動作状態での諸パラメータを記憶し、前記指袋部が顔部から一時的に離れてオフライン断路状態になるか、あるいは顔部に接触して動作状態を電気的導通させる場合、前記記憶モジュールは、自動的に前記制御ユニットを漸次昇圧方式に応じて本来記憶されていた動作状態の諸設定パラメータを復元させることを特徴とする、請求項１０に記載の多機能美容及び理学療法を兼ねた指袋装置。
【請求項１２】
前記制御ユニットは、イオン導入電圧を介して前記第１電極、前記第２電極及び当該フィードバック電極部に電気的に伝導接続されることを特徴とする、請求項８に記載の多機能美容及び理学療法を兼ねた指袋装置。
【請求項１３】
前記制御器には、電源設備が伝導接続され、前記制御器は、前記電源設備に連通する充電インレットを有し、前記制御器には、前記制御ユニットと電気的に伝導接続されるリチウム電池充電回路及び保護回路が内設され、前記リチウム電池充電回路及び保護回路は、前記充電インレットに電気的に接続され、前記充電インレットは、充電台上の充電コネクタと対応接続され、充電操作を行い、前記充電台は、電源インレットが設けられる台体を含み、前記台体に少なくとも１つの手袋ホルダが上向きに凸設され、各当該手袋ホルダの底部に前記充電コネクタが設けられることを特徴とする、請求項８に記載の多機能美容及び理学療法を兼ねた指袋装置。
【考案の詳細な説明】
【技術分野】
【０００１】
本考案は、指袋構造に係り、特に、美容医療のために操作使用可能な指袋を備え、顔部の美容マッサージの使用上、より優れた操縦性を得ることができ、低周波動作、イオン導入、光線療法及び温熱療法を行うことができるものに関するものである。
【背景技術】
【０００２】
現今の電気刺激治療器は、ケア・治療補助電子器具の一種として常用され、こうして電気刺激方式や低周波電子パルス方式を利用してその効果を達成するものである。低周波治療器は、微弱な電流を低周波、低頻度あるいはそのほかの電気刺激方式で人体に作用させるようにし、美容医療に合わせて顔部に運用することができ、顔部の筋肉や各部位に電流を通して刺激を与えることで、一部の領域において血液循環、細胞活性化再生を増加させるように促し、さらに顔部の筋肉を律動鍛練することで、筋肉がより引き締められて美しく整えることができ、あるいは顔部体操、顔部マッサージや顔部への打ち叩きなどと同じような効果を得ることができる。
【０００３】
従来のこの種類の低周波電気刺激治療器具は、例えば、図１Ａ、図１Ｂに示すように（特許文献１を参照）、それに開示されている手掌を被覆する電気刺激装置には、主体９０が設けられ、主体９０上に周波数制御ボタン９０１及び強度ボタン９０２が設けられ、前記主体９０は、またその一端を、導線９１を介して手袋９２の掌中央に導電シート９３に接合させ、前記導電シート９３は、手袋９２の掌中央に導電物質を手袋９２に貼合または縫合してなり、電気刺激信号を、前記導電物質を経由して出力させ、前記導線９１も指袋９４の導電シート９５に接合され、前記導電シート９５は、指袋９４の頂端に導電物質を指袋９４に貼合または縫合してなり、電気刺激信号を、前記導電物質を経由して出力させる。使用時には、施療者は、前記手袋９２、指袋９４にそれぞれ手掌、手指をカバーすると共に、被療者に対して背部の電気刺激マッサージ治療を行う。
【０００４】
前述した前記従来の手掌を被覆する電気刺激装置において、前記手袋９２は、５本指分離の形態であり、使用時には、５本の手指を逐一に挿入装着する必要があり、その装着操作上では、比較的に煩雑で時間がかかり不便である。而して、その電気刺激操作時には、前記導電シート９３の所在する手掌部位を利用して大領域の電気刺激施療操作を行うと共に、顔部やそのほかの部位に丁寧、かつ重点式の精巧で機敏性のある電気刺激動作を行うことに用いることが不適であり、例えば、美容医療の使用に不適であるため、明らかに非理想的な設計となる。
【０００５】
また、図２に示すように、同様に微電流作用を利用する美容イオン導入器９６において、前記美容イオン導入器９６は、手持ち棒型の構造を呈し、それが柄体９７と、マッサージヘッド９８とを備え、前記柄体９７には、伝導接続部材９７１と、スイッチ９９とが設けられ、前記伝導接続部材９７１は、電気極性（例えば、正極性）を有し、握持時に人体と伝導接続するために供され、前記マッサージヘッド９８は、マッサージ出力部９８１を有し、前記マッサージ出力部９８１は、電気極性（例えば、負極性）を有し、前記伝導接続部材９７１と前記マッサージ出力部９８１との間は、直流形式で電流伝達を行う。その使用時には、顔部に負極導入に適した美容薬品を塗り付け、このようにして操作時に前記マッサージ出力部９８１に負荷電を帯電させると共に、美容薬品中の負荷電イオンと反発し合うことから、美容薬品を皮膚の奥深くまで浸入させ、美容薬品を、膜交換を経て加速させ、組織の興奮性や浸透促進作用を高めることができる。
【０００６】
前述した前記従来の美容イオン導入器９６は、その予期のイオン導入機能を発揮させることができるものの、しかし、前記手持ち棒型の美容イオン導入器９６は、それが人体の顔部への接触使用に際し、比較的に丁寧に密着適用することが困難であり、顔部や人体のボディラインが微細に違う箇所に限って、意図的に繊細で巧妙な操作処理を行うことができないことにも併せて改良を図るべき点がある。
【先行技術文献】
【特許文献】
【０００７】
【特許文献１】台湾実用新案登録第２２１５５７号明細書
【考案の概要】
【考案が解決しようとする課題】
【０００８】
従って、前述の低周波手袋刺激機器と美容イオン導入器の欠点について研究改良することは、実に業界が努力して解決・克服すべき重要な方向である。それゆえ、本考案者は、現有の電気刺激手袋、美容イオン導入器の欠点を鑑みて、長期間構想を経て、遂に本考案を生み出した。
【０００９】
本考案の目的は、美容ケア、美容医療における顔部への施療操作上の応用性を有すると共に、使用上の非常に高い簡便性、機敏性及び丁寧性を有する指袋装置を提供することである。
【００１０】
本考案のもう一つの目的は、低周波ＥＭＳ（ＥＭＳはｅｌｅｃｔｒｉｃａｌ  ｍｕｓｃｌｅ  ｓｔｉｍｕｌａｔｉｏｎの略記：電気的筋肉刺激）パルス波形の交流出力の使用、イオン導入器の使用、光線療法と温熱療法の使用を提供することから、その使用機能の多様な選択を向上させることである。
【課題を解決するための手段】
【００１１】
上記目的を達成すべく本考案が採用した技術手段は、指袋と、美容理学療法モジュールとを備え、前記指袋は、指袋部と、掌袋部とを有し、指袋部には、指袋正面と、指袋背面とが設けられ、前記指袋正面と前記指袋背面との間に無隔壁指収容空間が形成され、前記無隔壁指収容空間は、挿入された２本〜４本の手指を収容可能であり、掌袋部は、掌袋正面と、掌袋背面とを含み、前記掌袋正面が前記指袋正面に連結され、前記掌袋背面が前記指袋背面に連結され、前記掌袋部は、掌側通口が形成される少なくとも１つの切欠部を有し、前記掌側通口は、前記指袋部の無隔壁指収容空間と相連通し、前記美容理学療法モジュールは、前記指袋上に設けられ、前記美容理学療法モジュールは、制御器と、作用領域とを有し、前記制御器が前記指袋上に設けられ、前記作用領域が前記指袋正面上に設けられ、前記制御器は、１本または複数本の導線を介して前記作用領域と電気接続される。
【００１２】
一実施例において、前記指袋は、腕輪部をさらに有し、前記腕輪部は、前記掌袋部の下方位置に連結される。
【００１３】
一実施例において、前記美容理学療法モジュールは、低周波出力装置と、イオン導入出力装置と、発光モジュールと、発熱モジュールとを有し、前記低周波出力装置、前記イオン導入出力装置、前記発光モジュールを一緒に併合すると、少なくとも１つの出力電極部及び少なくとも１つのフィードバック電極部を含み、当該出力電極部が前記指袋正面上に設けられ、当該出力電極部は、少なくとも１組の離隔された第１電極と、第２電極とを含み、当該フィードバック電極部が前記指袋の内側に設けられて人体と持続的に接触するように保持され、前記発光モジュール及び発熱モジュールが前記指袋正面上に設けられ、前記発光モジュールは、発光部材を有し、そして赤色光及び／または赤色光以外の光を発光させる選択的な応用が可能であり、前記発熱モジュールは、発熱部材を有する。
【００１４】
一実施例において、前記指袋装置は、フィードバック制御装置をさらに備え、前記フィードバック制御装置は、前記掌袋部上または前記腕輪部上に設けられる制御器を有し、前記制御器は、当該出力電極部及び当該フィードバック電極部に電気伝導接続され、前記制御器には、制御ユニットが内設され、前記制御ユニットには、さらに当該フィードバック電極部を利用して形成された検出判断作動モジュールが設けられ、前記検出判断作動モジュールには、当該フィードバック電極部と前記第１電極との間の電気通路で検出を行わせ、電気的動作導通を起動する動作状態、またはオフライン動作と自動判断して断電する動作状態への自動判断を持たせる。
【００１５】
一実施例において、前記作用領域には、前記第１電極、前記第２電極、前記発光モジュール及び前記発熱モジュールが設置され、前記第１電極と前記第２電極とは、それぞれ前記作用領域の上、下方部位に設けられ、前記発光モジュールは、前記作用領域の前記第１電極と前記第２電極との間に設けられ、そして前記発熱モジュールは、前記発光モジュールの外囲部位に設けられる。
【００１６】
一実施例において、前記掌袋部は、２つの掌側通口がそれぞれ形成される２つの切欠部を有し、前記２つの掌側通口は、それぞれ前記掌袋部の両側に設けられる第１掌側通口と第２掌側通口とされる。
【００１７】
一実施例において、前記指袋は、シリコーンゴムタイプまたはラテックスタイプの手袋であり、前記第１掌側通口は、密閉型通口を呈し、第２掌側通口は、開放状態を呈し、前記指袋装置を半開口式の手袋として構成させる。
【００１８】
一実施例において、前記腕輪部は、囲続された腕輪バンド体を含んで腕輪正面及び腕輪背面を有するように呈し、前記腕輪正面から位置決めバンドが延出され、前記位置決めバンドの背面に第１連結部材が設けられ、前記腕輪背面に位置決め部材が設けられ、前記位置決め部材に前記第１連結部材に相対する第２連結部材が設けられ、前記第１連結部材と前記第２連結部材とは、面ファスナー、位置決めスナップボタンを選択的に使用する。
【００１９】
一実施例において、前記第１電極と前記第２電極とは、正負の電極群または同極性の電極群に形成され、前記指袋装置に、交流型出力のＥＭＳ電気刺激器または直流型出力のイオン導入器の選択的使用を持たせる。
【００２０】
一実施例において、前記制御器は、第１電気導線と第２電気導線とを介してそれぞれ前記第１電極と前記第２電極とに連結され、当該出力電極部、前記第１電気導線、前記第２電気導線は、導電材料を介して一体的に結合されるか、または印刷方式、塗布方式によって前記指袋装置上に設けられる。
【００２１】
一実施例において、前記制御器は、さらに開閉及び各種のモード選択を行うためのモード制御ボタンと、第１電流流量ボタンと、複数の表示灯とを含む。
【００２２】
一実施例において、前記制御器には、異なる状況の音声を発生して警告するための警報ブザーが設けられる。
【００２３】
一実施例において、前記制御器には、電源設備が伝導接続され、前記制御器には、前記電源設備に連通する充電インレットが設けられる。
【００２４】
一実施例において、前記制御器には、前記制御ユニットと電気伝導接続されるリチウム電池充電回路及び保護回路が内設され、前記リチウム電池充電回路及び保護回路は、前記充電インレットに電気接続される。
【００２５】
一実施例において、前記制御ユニットは、ＥＭＳ昇圧回路を介して前記第１電極と前記第２電極とに電気伝導接続される。
【００２６】
一実施例において、前記制御ユニットには、さらに記憶モジュールが設けられ、前記記憶モジュールは、現時点または以前の動作状態での諸パラメータを記憶し、前記指袋部が顔部から一時的に離れてオフライン断路状態になるか、あるいは顔部に接触して動作状態を電気的導通させる場合、前記記憶モジュールは、自動的に前記制御ユニットを漸次昇圧方式に応じて本来記憶されていた動作状態の諸設定パラメータを復元させる。
【００２７】
一実施例において、前記制御ユニットは、イオン導入電圧を介して前記第１電極、前記第２電極及び当該フィードバック電極部に電気伝導接続される。
【００２８】
一実施例において、前記充電インレットは、充電台上の充電コネクタと対応接続され、充電操作を行うために用いられる。
【００２９】
一実施例において、前記充電台は、台体を含み、前記台体に電源インレットが設けられ、前記台体に少なくとも１つの手袋ホルダが上向きに凸設され、各当該手袋ホルダの底部に前記充電コネクタが設けられる。
【００３０】
一実施例において、前記制御器は、リモートコントローラと無線で連結され、前記リモートコントローラは、リモコン機器を有し、前記リモコン機器には、少なくとも制御ボタンと、第２電流流量ボタンとが設けられる。
【考案の効果】
【００３１】
本考案に係る多機能美容及び理学療法を兼ねた指袋装置は、上記構成によれば、それが美容ケア、美容医療における顔部への施療操作上の応用性及び丁寧性を有することができると同時に、本考案は、低周波出力の使用、イオン導入器の使用、発光モジュール及び発熱モジュールの使用を提供できることから、使用機能の多様な選択を向上させることができる。
【図面の簡単な説明】
【００３２】
【図１Ａ】従来の電気刺激手袋の構造概略図である。
【図１Ｂ】従来の電気刺激手袋の構造概略図である。
【図２】従来の美容イオン導入器の構造概略図である。
【図３Ａ】本考案の立体的係合を示す概略図である。
【図３Ｂ】本考案の背面概略図である。
【図３Ｃ】本考案の取り外し斜視概略図である。
【図３Ｄ】２つの切欠部を有する場合の本考案の取り外し斜視概略図である。
【図４Ａ】本考案の４本指袋の使用態様図である。
【図４Ｂ】本考案の３本指袋の使用態様図である。
【図４Ｃ】本考案の２本指袋の使用態様図である。
【図５Ａ】本考案の低周波操作具の構造図である。
【図５Ｂ】本考案のイオン導入操作具の構造図である。
【図５Ｃ】本考案の光線療法操作具の構造図である。
【図５Ｄ】本考案の温熱療法操作具の構造図である。
【図６】本考案の操作モードを説明するための概念図である。
【図７Ａ】本考案の顔部への低周波施療の応用態様図である。
【図７Ｂ】本考案の顔部へのイオン導入施療の応用態様図である。
【図８】本考案の操作制御の応用態様図である。
【図９Ａ】本考案の手袋の充電台の構造概略図である。
【図９Ｂ】本考案の手袋の充電台の応用態様図である。
【考案を実施するための形態】
【００３３】
特許庁の審査官の方々に、本考案の技術的特徴及び達成される効果について、さらなるご理解とご認識頂けるように、好ましい実施例と図面を参照しながら、以下のとおり詳細に説明する。
【００３４】
図３Ａ、図３Ｂ、図３Ｃ及び図３Ｄを参照して、本考案に係る多機能美容及び理学療法を兼ねた指袋装置の実施例を説明する。本実施例で開示した指袋装置１は、指袋１０と、美容理学療法モジュール２０とを備え、前記指袋１０は、シリコーンゴムタイプまたはラテックスタイプの手袋であり、指袋部１１と、掌袋部１２と、腕輪部１３とを有する。
【００３５】
前記指袋部１１は、ミトン型手指袋を呈し、指袋正面１１１と、指袋背面１１２とを含み、前記指袋部１１は、無隔壁指収容空間１１３を有し、つまり前記指袋正面１１１と指袋背面１１２との間に前記無隔壁指収容空間１１３が形成され、前記無隔壁指収容空間１１３は、挿入された人手の２本〜４本の手指を収容可能である。前記掌袋部１２は、前記指袋部１１で一体成形連結されてなり、つまり前記指袋部１１の両面からそれぞれ延在形成され、前記掌袋部１２は、掌袋正面１２１と、掌袋背面１２２とを含み、その内、前記掌袋正面１２１が前記指袋正面１１１に一体連結され、そして前記掌袋背面１２２が前記指袋背面１１２に一体連結され、前記掌袋部１２は、掌側通口（符号未図示）が形成される少なくとも１つの切欠部を有し、前記掌側通口（符号未図示）は、前記指袋部１１の無隔壁指収容空間１１３と相連通し、図３Ｃに示すように、前記掌側通口は、前記掌袋部１２の一側に位置する第１掌側通口１２３が形成される切欠部を呈し、前記第１掌側通口１２３は、親指１１０１を露出させるために供することができ、図３Ｄに示すように、前記掌袋部１２は、２つの掌側通口がそれぞれ形成される２つの切欠部を有し、それらは、それぞれ前記掌袋部１２の両側に設けられる第１掌側通口１２３と第２掌側通口１２４とされる。前記腕輪部１３は、前記掌袋部１２の下方位置に連結され、前記腕輪部１３は、囲続された腕輪バンド体１３１を含んで腕輪正面１３１Ａ及び腕輪背面１３１Ｂを有するように呈し、前記腕輪正面１３１Ａから位置決めバンド１３２が延出され、前記位置決めバンド１３２の背面に第１連結部材１３２１が設けられ、前記腕輪背面１３１Ｂに位置決め部材１３３が設けられ、前記位置決め部材１３３に前記第１連結部材１３２１に相対する第２連結部材１３３１が設けられ、前記第１連結部材１３２１と第２連結部材１３３１としては、例えば、面ファスナー、位置決めスナップボタンなどが挙げられるが、これらに限定されるものではなく、前記第１連結部材１３２１と第２連結部材１３３１とを相互に連結係合させることができ、前記腕輪部１３が封止されて位置決めされるものであればよい。
【００３６】
前述の前記指袋背面１１２、掌袋背面１２２及び前記腕輪背面１３１Ｂには、いずれもそれぞれ複数の通気孔１１２１、１２２１、１３１１が設けられてもよく、前記指袋装置１の装着上の透気機能と快適性を向上させることが可能となる。前記第１掌側通口１２３は、密閉型通口を呈し、そして前記第２掌側通口１２４は、前記腕輪部１３がまだ封止されて位置決めされていない前に、開放状態を呈することから、前記指袋装置１を装着便利にする半開口式の手袋として構成させる。
【００３７】
前記美容理学療法モジュール２０は、前記指袋１０上に設けられ、前記美容理学療法モジュール２０は、制御器５１と、作用領域４０とを有し、前記制御器５１が前記指袋１０上に設けられ、前記作用領域４０が前記指袋正面１１１上に設けられ、前記制御器５１は、１本または複数本の導線を介して前記作用領域４０と電気接続される。
【００３８】
前記美容理学療法モジュール２０は、低周波出力装置２１と、イオン導入出力装置２２と、発光モジュール２３と、発熱モジュール２４とをさらに有する。
【００３９】
前記低周波出力装置２１、前記イオン導入出力装置２２、前記発光モジュール２３を一緒に併合すると、少なくとも１つの出力電極部４１及び少なくとも１つのフィードバック電極部４２を含み、当該出力電極部４１が前記指袋正面１１１上に設けられ、当該出力電極部４１は、少なくとも１組の離隔された出力電極を含み、つまり第１電極４１１と、第２電極４１２とを含み、前記第１電極４１１と第２電極４１２とは、正負の電極群または同極性の電極群に形成され、当該出力電極部４１の第１電極４１１と第２電極４１２とは、相対的に左右または上下に設置されており、それらの相対位置は、要望に応じて適切に布設されてもよい。当該フィードバック電極部４２が前記指袋部１１または前記腕輪部１３上に設けられ、本実施例では、前記腕輪バンド体１３１の内側に設けられて人体と持続的に接触するように保持され、前記指袋装置１を装着して位置決めする際に、当該フィードバック電極部４２は、人体の手部と接触することができ、その内、当該フィードバック電極部４２は、固定式または可動式として設けられてもよく、固定式とは、当該フィードバック電極部４２が固定した位置に設けられるものを指し、可動式とは、当該フィードバック電極部４２がその設定した位置を可動的に調整できるものを指し、異なる大きさの手部や個人の要望に柔軟に適応できるようにする。
【００４０】
前記発光モジュール２３及び発熱モジュール２４が前記指袋正面１１１上に設けられ、前記発光モジュール２３は、発光部材を有し、そして赤色光（波長：６３０〜７００ｎｍ）及び赤色光以外の光を発光させる選択的な応用が可能であり、光線療法効果を有させ、前記発熱モジュール２４は、発熱部材を有し、そして熱エネルギーを発生させて温熱療法効果を有させることができ、全体に皮膚の各種の美化、療養効果を達成させる。
【００４１】
前記作用領域４０には、前記第１電極４１１、第２電極４１２、発光モジュール２３及び発熱モジュール２４が設置され、前記第１電極４１１と第２電極４１２とは、それぞれ前記作用領域４０の上、下方部位に設けられ、前記発光モジュール２３は、前記作用領域４０の中央部位（あるいは、第１電極４１１と第２電極４１２との間）に設けられ、そして前記発熱モジュール２４は、前記発光モジュール２３の外囲部位に設けられる。
【００４２】
さらに、本考案は、フィードバック制御装置５０をさらに備え、前記フィードバック制御装置５０は、制御器５１を有し、前記制御器５１は、前記指袋１０上に設けられ、本実施例では、前記腕輪バンド体１３１上に設けられ、好ましい位置は、前記腕輪正面１３１Ａまたは腕輪背面１３１Ｂに設けられており、本実施例において、前記制御器５１は、前記腕輪正面１３１Ａ上に設けられ、前記制御器５１は、当該出力電極部４１及びフィードバック電極部４２に電気伝導接続され、前記制御器５１は、第１電気導線５１１と第２電気導線５１２とを介してそれぞれ前記第１電極４１１と第２電極４１２とに連結され、かつ前記制御器５１も、第３電気導線５１３と第４電気導線５１４とを介してそれぞれ前記発光モジュール２３と発熱モジュール２４とに連結され、前記腕輪部１３が掌袋部１２、指袋部１１の方向に向けて回路領域５１０が延伸形成され、前記回路領域５１０には、前記第１電気導線５１１、第２電気導線５１２、第３電気導線５１３及び第４電気導線５１４が設置されるが、この種の設置方式に限定されるものではない。当該出力電極部４１、第１電気導線５１１、第２電気導線５１２、第３電気導線５１３及び第４電気導線５１４は、導電材料を介して前記指袋装置１上に一体的に結合されてもよく、または印刷方式、塗布方式によって前記指袋装置１上に設けられてもよく、かつ前記複数の電気導線（５１１〜５１４）上に適当な絶縁層で被覆される。前記制御器５１は、当該出力電極部４１及びフィードバック電極部４２の作動上の制御を行い、例えば、電源の起動や閉止、機能モード選択、電極極性の自動設定、電流大きさまたは異なる電子パルス波形の電気刺激作用選択などの操作を含む制御を行うことができる。
【００４３】
前記制御器５１は、さらにモード制御ボタン５２と、第１電流流量ボタン５３と、複数の表示灯５４とを含む。前記モード制御ボタン５２は、開閉及び各種のモード選択の操作制御を行い、前記複数のモード選択は、低周波モード２１１、イオン導入モード２２１、発光モード２３１及び発熱モードを含み、前記第１電流流量ボタン５３は、電流増量ボタン５３１及び電流減量ボタン５３２を含み、前記複数の表示灯５４は、各種のモードの使用に対応して表示するようにする。さらに、前記制御器５１には、例えば、充電電池やリチウム電池などのような電源設備（未図示）が伝導接続され、前記制御器５１の背面（あるいは、そのほかの適当な位置）には、充電インレット５５が設けられる。このほか、前記制御器５１には、各種類の状況の音声を発生して警告するための警報ブザー５４１（図５Ａを参照）が設けられる。
【００４４】
図４Ａ、図４Ｂと図４Ｃを併せて参照して、本実施例の前記指袋装置１を人手に装着して使用する状態を説明する。図４Ａに示すように、前記指袋部１１の無隔壁指収容空間１１３に、例えば、人差し指１１０２、中指１１０３、薬指１１０４及び小指１１０５のような人手の４本の手指をカバーし、そして前記親指１１０１を前記第１掌側通口１２３から露出させるようにする。図４Ｂに示すように、前記指袋部１１の無隔壁指収容空間１１３に、例えば、人差し指１１０２、中指１１０３及び薬指１１０４のような人手の３本の手指をカバーし、そして前記親指１１０１を前記第１掌側通口１２３から露出させるようにする一方、前記小指１１０５を前記第２掌側通口１２４から露出させるようにする。図４Ｃに示すように、前記指袋部１１の無隔壁指収容空間１１３に、例えば、人差し指１１０２及び中指１１０３のような人手の２本の手指をカバーし、そして前記親指１１０１を前記第１掌側通口１２３から露出させるようにする一方、前記薬指１１０４及び小指１１０５を前記第２掌側通口１２４から露出させるようにする。この場合、指袋部１１の無隔壁指収容空間１１３にカバーされた人手の手指の本数は、２本にかかわらず、３本または４本であってもよく、前記指袋装置１の出力電極部４１（第１電極４１１、第２電極４１２）が人手の指先部位に位置し、当該フィードバック電極部４２が人手の腕部部位に接触し、そして前記制御器５１が人手の腕部箇所近傍に位置し、その操作制御上、極めて高い機敏性、迅速性と簡便性を有する。当然のことながら、前記制御器５１は、改めて前記腕輪背面１３１Ｂ上に設けられてもよいと共に、当該出力電極部４１（第１電極４１１、第２電極４１２）と電気的に布設伝導接続される。
【００４５】
図５Ａ、図６と図７Ａを併せて参照して、本実施例の低周波モード２１１の使用状態を説明する。前記制御器５１のモード制御ボタン５２の選択操作により、前記低周波モード２１１を起動させ、前記制御器５１には、電気伝導接続される制御ユニット５６と、リチウム電池充電回路及び保護回路５７とが内設され、前記リチウム電池充電回路及び保護回路５７は、前記充電インレット５５と別の充電台７０に電気接続される。前記充電台７０は、電源ケーブルのプラグ６１（例えば、ＵＳＢ  Ｔｙｐｅ−Ｃ）と電気伝導接続され、電源の対応接続または充電操作を行い、前記充電台７０には、前記充電インレット５５と対応接続される充電コネクタ７２１が設けられ、前記制御器５１の電源設備（例えば、リチウム電池）に対して充電を行うために用いられる。前記制御ユニット５６は、ＥＭＳ（ｅｌｅｃｔｒｉｃａｌ  ｍｕｓｃｌｅ  ｓｔｉｍｕｌａｔｉｏｎの略記：電気的筋肉刺激）昇圧回路５８（交流低周波）を介して前記第１電極４１１と第２電極４１２とに電気伝導接続され、この時、当該フィードバック電極部４２は、前記第１電極４１１を電気的に検出し、フィードバックの検出を行い、そして前記第２電極４１２は、人体の顔部３０を通して第１電極４１１と電気伝導接続され（例えば、図７Ａを参照）、ＥＭＳ交流低周波機能の使用を行う。同時に、制御ユニット５６も、前記モード制御ボタン５２、第１電流流量ボタン５３、表示灯５４及び警報ブザー５４１に電気伝導接続される。
【００４６】
図５Ｂ、図６及び図７Ｂを併せて参照して、本実施例のイオン導入モード２２１、つまりイオン導入器として使用するモードを説明する。前記制御器５１のモード制御ボタン５２の選択操作により、前記イオン導入モード２２１を起動させ、そして図５Ｂと図５Ａとの相違点は、前記制御ユニット５６は、イオン導入電圧５９（直流）を介して前記第１電極４１１、第２電極４１２及びフィードバック電極部４２に電気伝導接続され、この時、前記腕輪部１３の内部のフィードバック電極部４２を正極として列挙し、そして前記指袋部１１の外部の第１電極４１１と第２電極４１２とを負極として列挙し、イオン導入器としての使用を行う。そのほか、この時、当該フィードバック電極部４２も、前記第１電極４１１を電気的に検出し、当該フィードバック電極部４２も人手や顔部３０を通して第１電極４１１と電気伝導接続される（図７Ｂを参照）か否かに応じて、このように形成されたループ回路により、フィードバックの検出を行う。
【００４７】
図５Ｃを併せて参照して、本実施例の発光モード２３１を説明する。前記制御器５１のモード制御ボタン５２の選択操作により、前記発光モード２３１を起動させ、前記制御ユニット５６は、発光回路２３２に電圧を通過させることで、前記発光モジュール２３に電気伝導接続され、光線療法の使用を行い、前記発光回路２３２は、例えば、前述の第３電気導線５１３であってもよく、この時、当該フィードバック電極部４２は、第１電極４１１を電気的に検出し、フィードバックの検出を行う。
【００４８】
図５Ｄを併せて参照して、本実施例の発熱モードを説明する。前記制御器５１のモード制御ボタン５２の選択操作により、前記発熱モードを起動させ、前記制御ユニット５６は、発熱回路２４１を介して前記発熱モジュール２４に電気伝導接続され、温熱療法の使用を行い、前記発熱回路２４１は、例えば、前述の第４電気導線５１４である。
【００４９】
さらに、前記制御ユニット５６には、さらに当該フィードバック電極部４２を利用して形成された検出判断作動モジュールが設けられると共に、フィードバックの検出を行うことについて（図５Ａ、図５Ｂ、図５Ｃと図６を参照）、以下に説明する。低周波モード２１１下、イオン導入モード２２１下、発光モード２３１下において、前記検出判断作動モジュールには、当該フィードバック電極部４２と前記第１電極４１１との間の電気通路で検出を行わせ、つまり当該フィードバック電極部４２と第１電極４１１が導通する状態下において、動作状態を判断することができ（即ち、当該フィードバック電極部４２も人手や顔部３０を通して第１電極４１１と電気伝導接続され、これでループ回路が形成され、フィードバック電極部４２と第１電極４１１が人体を介して導通することになり、このようにすれば、指袋部１１が顔部３０あるいはそのほかの人体作用部位に接触したことを表示）、そして動作状態下において、前記検出判断作動モジュールは、仮に当該出力電極部４１（第１電極４１１、第２電極４１２）は、指袋部１１が顔部３０から暫時離れると検出されたため、一時的に断路を呈するか、または間欠的断路を呈するようになると、この時は既に動作が停止していることを表し、この時、前記検出判断作動モジュールは、つまりオフライン動作（停止動作）と自動判断して自動断電する。前記検出判断作動モジュールは、自動判断機能を持たせ、そして指袋部１１が顔部３０に再接触して動作状態を電気的導通させることができる場合、電気的動作導通を即時に起動させると、顔部３０への美容操作を持続的に行うことができる。上記のフィードバックの検出によれば、本装置は、低周波モード２１１、イオン導入モード２２１または発光モード２３１にかかわらず、いずれかのモードにある場合でも、オフライン動作（停止動作）によって自動断電できる状況下において、使用者は、本装置を使用する時、より優れた安全保護を得ることができる。
【００５０】
また、前記制御ユニット５６には、さらに記憶モジュール（未図示）が設けられ、前記記憶モジュールは、現時点または以前の動作状態での諸パラメータを記憶することができ、前記指袋部１１が顔部３０から一時的に離れてオフライン断路状態になるか、あるいは顔部３０に接触して動作状態を電気的導通させる場合、前記記憶モジュールは、自動的に制御ユニット５６を漸次昇圧方式に応じて本来記憶されていた動作状態の諸設定パラメータを復元させる。
【００５１】
本考案は、低周波動作、イオン導入、発光モジュール２３及び発熱モジュール２４を有する指袋装置１のように構成されてもよく、顔部３０、または例えば、鼻部、鼻側、頬部、前額や肩部などの異なる領域のような人体のそのほかの比較的曲線のある部位の要望に対応して、適当な電気刺激出力の動作、イオン導入、光線療法と温熱療法を行うことができる。
【００５２】
図８を併せて参照して、前記制御器５１が前記指袋装置１の腕輪部１３上に設けられ、そして前記制御器５１は、リモートコントローラ８０と無線で連結され、前記リモートコントローラ８０は、リモコン機器８１を有し、前記リモコン機器８１には、少なくとも制御ボタン８２と、第２電流流量ボタン８３とが設けられ、前記制御ボタン８２は、前記モード制御ボタン５２に同等の操作機能を有し、前記第２電流流量ボタン８３は、前記第１電流流量ボタン５３に同等の操作機能を有し、かつ前記第２電流流量ボタン８３は、同様に電流増量ボタン８３１と、電流減量ボタン８３２とを有し、つまり前記リモートコントローラ８０によって前記制御器５１に対して制御操作を行い、前記リモートコントローラ８０は、同様に当該出力電極部４１及びフィードバック電極部４２の作動上の制御を行うことができ、例えば、電源の起動や閉止、機能モード選択、電極極性の自動設定、電流大きさまたは異なる電子パルス波形の電気刺激作用選択などの操作を含む制御を行うことができる。
【００５３】
図９Ａ、図９Ｂを参照して、本考案に係る多機能美容及び理学療法を兼ねた指袋装置１は、充電台７０をさらに備え、前記充電台７０は、台体７１を含み、前記台体７１に電源インレット７１１が設けられ、前記電源インレット７１１は、前記電源ケーブルのプラグ６１と電気伝導接続されて電源を導入する。前記台体７１に少なくとも１つの手袋ホルダ７２が上向きに凸設され、各当該手袋ホルダ７２の底部に前記充電コネクタ７２１が設けられる。前記指袋装置１が当該手袋ホルダ７２上にカバーされる場合には、前記制御器５１の充電インレット５５は、対応的に充電コネクタ７２１と差込接続され、前記制御器５１に対して充電を行う。
【００５４】
本考案に係る多機能美容及び理学療法を兼ねた指袋装置は、上記構成によれば、それが美容ケア、美容医療における顔部への施療操作上の応用性及び丁寧性を有することができると同時に、本考案は、低周波出力の使用、イオン導入器の使用、発光モジュール及び発熱モジュールの使用を提供できることから、使用機能の多様な選択を向上させることができる。
【００５５】
上記好ましい具体的実施例を挙げながら本考案をさらに詳細に説明してきたが、本考案は、上記に列挙された実施例によって何ら限定されるものではなく、本考案で開示された技術思想範囲内において、前記複数の構造に対してなされる種々の変化及び修飾が可能であり、それらは全て本考案の範囲に属するものである。
【符号の説明】
【００５６】
１：指袋装置
１０：指袋
１１：指袋部
１１０１：親指
１１０２：人差し指
１１０３：中指
１１０４：薬指
１１０５：小指
１１１：指袋正面
１１２：指袋背面
１１２１：通気孔
１１３：無隔壁指収容空間
１２：掌袋部
１２１：掌袋正面
１２２：掌袋背面
１２２１：通気孔
１２３：第１掌側通口
１２４：第２掌側通口
１３：腕輪部
１３１：腕輪バンド体
１３１１：通気孔
１３１Ａ：腕輪正面
１３１Ｂ：腕輪背面
１３２：位置決めバンド
１３２１：第１連結部材
１３３：位置決め部材
１３３１：第２連結部材
２０：美容理学療法モジュール
２１：低周波出力装置
２１１：低周波モード
２２：イオン導入出力装置
２２１：イオン導入モード
２３：発光モジュール
２３１：発光モード
２３２：発光回路
２４：発熱モジュール
２４１：発熱回路
３０：顔部
４０：作用領域
４１：出力電極部
４１１：第１電極
４１２：第２電極
４２：フィードバック電極部
５０：フィードバック制御装置
５１：制御器
５１０：回路領域
５１１：第１電気導線
５１２：第２電気導線
５１３：第３電気導線
５１４：第４電気導線
５２：モード制御ボタン
５３：第１電流流量ボタン
５３１：電流増量ボタン
５３２：電流減量ボタン
５４：表示灯
５４１：警報ブザー
５５：充電インレット
５６：制御ユニット
５７：リチウム電池充電回路及び保護回路
５８：ＥＭＳ昇圧回路
５９：イオン導入電圧
６１：電源ケーブルのプラグ
７０：充電台
７１：台体
７１１：電源インレット
７２：手袋ホルダ
７２１：充電コネクタ
８０：リモートコントローラ
８１：リモコン機器
８２：制御ボタン
８３：第２電流流量ボタン
８３１：電流増量ボタン
８３２：電流減量ボタン
【図１Ａ】
0003234816.tif 000003
【図１Ｂ】
0003234816.tif 000004
【図２】
0003234816.tif 000005
【図３Ａ】
0003234816.tif 000006
【図３Ｂ】
0003234816.tif 000007
【図３Ｃ】
0003234816.tif 000008
【図３Ｄ】
0003234816.tif 000009
【図４Ａ】
0003234816.tif 000010
【図４Ｂ】
0003234816.tif 000011
【図４Ｃ】
0003234816.tif 000012
【図５Ａ】
0003234816.tif 000013
【図５Ｂ】
0003234816.tif 000014
【図５Ｃ】
0003234816.tif 000015
【図５Ｄ】
0003234816.tif 000016
【図６】
0003234816.tif 000017
【図７Ａ】
0003234816.tif 000018
【図７Ｂ】
0003234816.tif 000019
【図８】
0003234816.tif 000020
【図９Ａ】
0003234816.tif 000021
【図９Ｂ】
0003234816.tif 000022